(57)【要約】      （修正有）【課題】通夜や葬式等に持っていくのに好適な、斬新で機能的な数珠袋の提供。【解決手段】数珠収納部１が上下方向の中間で二つ折りする袋状に形成され、数珠収納部を開いた内側面の下半部１ａにハンカチを入れるためのポケット２が設けてあり、ポケット２の外側面に御焼香用の小銭を入れるための蓋付きポケット３が縫い付けてある。二つ折りした数珠収納部１の表面に家紋４を入れる。【選択図】図１
0003135335.tif 000002
【実用新案登録請求の範囲】
【請求項１】
数珠収納部（１）が上下方向の中間で二つ折りする袋状に形成され、数珠収納部を開いた内側面の下半部（１ａ）にハンカチ（９）を入れるためのポケット（２）が設けてあり、当該ポケット（２）の外側面に御焼香用の小銭（１０）を入れるための蓋付きポケット（３）が縫い付けてあることを特徴とする数珠袋。
【請求項２】
二つ折りした数珠収納部（１）の表面に、家紋（４）が表示してあることを特徴とする請求項１記載の数珠袋。
【請求項３】
小銭を入れるためのポケット（３）の蓋（３ａ）の裏面に、持ち主の名前を記入できるネーム入れ片（５）を設けてあることを特徴とする請求項１又は２記載の数珠袋。
【請求項４】
数珠収納部（１）が、同じ幅の表地（６）と裏地（７）を重ね、両側縁部を縫い合わせて形成してあり、表地の上部（６ａ）が裏地の上縁（７ａ）からはみ出していることを特徴とする請求項１，２又は３記載の数珠袋。
【請求項５】
同じ幅の表地（６）と裏地（７）を、裏地の下縁（７ｂ）から表地の下部（６ｂ）がはみ出す状態で重ね、はみ出した表地の下部（６ｂ）を裏地（７）の前側に折り返し、表地と裏地の両側縁部を縫い合わせることで、数珠収納部（１）とハンカチ用のポケット（２）を形成してあることを特徴とする請求項１，２，３又は４記載の数珠袋。
【考案の詳細な説明】
【技術分野】
【０００１】
本考案は、通夜や葬式等に赴く際に数珠を入れて携帯する数珠袋に関する。
【背景技術】
【０００２】
通夜や葬式に赴く際には、数珠の携帯が不可欠である。数珠は、バッグの中や服のポケットに入れて持ち歩くと、型崩れしたり破損したりすることがあり、従来より数珠を入れる専用の数珠袋が用いられてきた。一般的な数珠袋は、図５に示すように、数珠９０を収納するポケット９１が横長の長方形に形成され、蓋片９２を該ポケット９１の前側に折り曲げてマグネット等の止め具９３ａ，９３ｂで止めるものであった。従来の数珠袋は、数珠を保護する機能しかなかった。
【０００３】
葬式等では、数珠の他には白いハンカチをバッグや服のポケットに入れて携帯している。また、御焼香のときには、小銭（百円玉）をお布施として出す習慣がある。通夜や葬式の最中に、ハンカチを出そうと、あるいは御焼香用の小銭を取り出そうとバッグや服のポケットをまさぐるのは、あまり格好の良いものではないし、そもそもハンカチや小銭を忘れていってしまうこともある。
【考案の開示】
【考案が解決しようとする課題】
【０００４】
本考案は以上に述べた実情に鑑み、通夜や葬式等に持っていくのに好適な、斬新で機能的な数珠袋の提供を目的とする。
【課題を解決するための手段】
【０００５】
上記の課題を達成するために請求項１記載の考案による数珠袋は、数珠収納部が上下方向の中間で二つ折りする袋状に形成され、数珠収納部を開いた内側面の下半部にハンカチを入れるためのポケットが設けてあり、当該ポケットの外側面に御焼香用の小銭を入れるための蓋付きポケットが縫い付けてあることを特徴とする。
【０００６】
請求項２記載の考案による数珠袋は、請求項１記載の考案の構成に加え、二つ折りした数珠収納部の表面に、家紋が表示してあることを特徴とする。
【０００７】
請求項３記載の考案による数珠袋は、請求項１又は２記載の考案の構成に加え、小銭を入れるためのポケットの蓋の裏面に、持ち主の名前を記入できるネーム入れ片を設けてあることを特徴とする。
【０００８】
請求項４記載の考案による数珠袋は、請求項１〜３記載の考案の構成に加え、数珠収納部が、同じ幅の表地と裏地を重ね、両側縁部を縫い合わせて形成してあり、表地の上部が裏地の上縁からはみ出していることを特徴とする。
【０００９】
請求項５記載の考案による数珠袋は、請求項１〜４記載の考案の構成に加え、同じ幅の表地と裏地を、裏地の下縁から表地の下部がはみ出す状態で重ね、はみ出した表地の下部を裏地の前側に折り返し、表地と裏地の両側縁部を縫い合わせることで、数珠収納部とハンカチ用のポケットを形成してあることを特徴とする。
【考案の効果】
【００１０】
請求項１記載の考案による数珠袋は、数珠収納部に数珠を収納し、数珠を保護して携帯できることに加え、数珠収納部を開いた内側面の下半部にハンカチを入れるためのポケットを備え、さらに当該ポケットの外側面に御焼香用の小銭を入れるための蓋付きポケットが縫い付けてあるので、ハンカチと御焼香用の小銭も一緒に携帯し、ハンカチと小銭をさっと取り出すことができるので、通夜や葬式等において非常に便利である。しかも、バッグ等に入れて携帯している間に、数珠、ハンカチ、小銭が、数珠袋から出ることがない。また、本数珠袋を携帯することで、ハンカチや御焼香用の小銭を忘れることを防止できる。
【００１１】
請求項２記載の考案による数珠袋は、二つ折りした数珠収納部の表面に、家紋が表示されているので、自分のものを他人のものと区別でき、尚且つ葬式等に好適なフォーマルな印象を与えるものとなる。
【００１２】
請求項３記載の考案による数珠袋は、小銭を入れるためのポケットの蓋の裏面に、持ち主の名前を記入できるネーム入れ片を設けてあるので、当該ネーム入れ片に名前を記入することができ、しかもネーム入れ片は外観に露出しない。
【００１３】
請求項４記載の考案による数珠袋は、数珠袋収納部が、同じ幅の表地と裏地を重ね、両側縁部を縫い合わせて形成してあり、表地の上部が裏地の上縁からはみ出していることで、数珠収納部内に手を容易に差し入れることができ、数珠の出し入れが容易である。
【００１４】
請求項５記載の考案による数珠袋は、同じ幅の表地と裏地を、裏地の下縁から表地の下部がはみ出す状態で重ね、はみ出した表地の下部を裏地の前側に折り返し、表地と裏地の両側縁部を縫い合わせることで、数珠収納部とハンカチ用のポケットを形成したので、縫製が容易で、安価に製作でき、且つ体裁が良好なものとなる。
【考案を実施するための最良の形態】
【００１５】
以下、本考案の実施の形態を図面に基づいて説明する。図１〜図３は、本考案の数珠袋の一実施形態を示しており、図４はこの数珠袋の使用状態を示している。本数珠袋は、図１に示すように、数珠収納部１が、上下方向の中間の折り曲げ部１１で二つ折りする袋状に形成してあり、数珠収納部１を開いた内側面の下半部１ａに、ハンカチ９を入れるためのポケット２が設けてある。さらに、当該ポケット２の外側面に、御焼香用の小銭（１００円玉）１０を入れるための蓋付きポケット３が縫い付けてある。本数珠袋の大きさは、二つ折りした状態で横が約１５ｃｍ、縦が約１０ｃｍとなっている。二つ折りした数珠収納部１の表面には、家紋４が表示されている。家紋４は、印刷してもよいし、シールを貼って設けてもよい。このように、家紋４を表示してあることで、自分の数珠袋を他人のものと区別でき、尚且つ葬式等に好適なフォーマルな印象を与えるものとなっている。
【００１６】
本数珠袋は、図１（ｂ）と図２に示すように、長方形の表地６と、表地６と同じ幅で且つ長さが表地６よりも短い裏地７を、裏地の上下縁７ａ，７ｂから表地の上部６ａと下部６ｂがはみ出す状態で重ね、裏地の下縁７ｂからはみ出した表地の下部６ｂを裏地７の前側に折り返し、表地６と裏地７の両側縁部を縫い合わせることで、袋状の数珠収納部１と、ハンカチ用のポケット２を形成している。このようにすれば、数珠収納部１とハンカチ用のポケット２を同時に形成でき、しかもポケット２は表地６で形成されるため、体裁が良くなる。なお、図１中の符号１２は、縫い目を示している。表地６は、模様１３の入った黒い絹の布地を使用しており、裏地７には無地の黒色の綿の布地を使用している。
【００１７】
小銭用のポケット３は、表地６と同じ絹の長方形の布地を使用し、当該布地の下部側を前側に折り返し、両側縁部をハンカチ用のポケット２に縫い付けて形成している。ポケットの蓋３ａは、前記布の上部を下方に折り、折り癖を付けて形成している。蓋３ａの裏面には、図３に示すように、白い布を小さく切って作ったネーム入れ片５が貼り付けてあり、当該ネーム入れ片に持ち主の名前をマジック等で記入できる。
【００１８】
本数珠袋は以上のように形成され、数珠８と共にハンカチ９と御焼香用の小銭１０を一緒に携帯できるので、通夜や葬式に持っていくのに非常に便利である。数珠収納部１は、表地の上部６ａが裏地の上縁７ａからはみ出しているため、図４（ａ）に示すように、数珠収納部１内に容易に手を差し入れることができ、数珠８の出し入れが容易に行える。また、図４（ｂ），（ｃ）に示すように、ハンカチ９と御焼香用の小銭１０も、さっと取り出すことができる。また、二つ折りとし、且つ小銭用のポケット３には蓋３ａが付いているので、バッグ等に入れて携帯している間に、数珠８、ハンカチ９、小銭１０が、数珠袋の外に出ることがない。本数珠袋を用いることで、ハンカチ９や御焼香用の小銭１０を忘れるのを防止できる。
【００１９】
本考案は、以上に述べた実施形態に限定されない。表地と裏地の材質、色、模様は、適宜変更することができる。形は、長方形のものに限らず、二つ折りしたときに半円形になるようにすることもできる。
【図面の簡単な説明】
【００２０】
【図１】（ａ）は本考案の一実施形態に係る数珠袋の正面図であり、（ｂ）は同数珠袋の開いた状態の正面図である。
【図２】図１のＡ−Ａ断面図である。
【図３】数珠袋を開き、小銭用ポケットの蓋を上に持ち上げた状態を示す正面図である。
【図４】数珠袋の使用状態を示す正面図であって、（ａ）は数珠を取り出すときの状態、（ｂ）はハンカチを取り出すときの状態、（ｃ）は御焼香用の小銭を取り出すときの状態を示している。
【図５】（ａ）は従来の数珠袋の正面図であり、（ｂ）は同数珠袋の開いた状態の正面図である。
【符号の説明】
【００２１】
１  数珠収納部
１ａ  数珠収納部の下半部
２  ハンカチ用ポケット
３  小銭用ポケット
３ａ  小銭用ポケットの蓋
４  家紋
５  ネーム入れ片
６  表地
６ａ  表地の上部
６ｂ  表地の下部
７  裏地
７ａ  裏地の上縁
７ｂ  裏地の下縁
８  数珠
９  ハンカチ
１０  小銭
【図１】
0003135335.tif 000003
【図２】
0003135335.tif 000004
【図３】
0003135335.tif 000005
【図４】
0003135335.tif 000006
【図５】
0003135335.tif 000007